(57)【要約】【課題】  スプリンクラーヘッドが誤作動した場合においても放出される水を直ちに停止させ、水損被害を低減可能なスプリンクラーヘッドおよびスプリンクラーヘッドが接続される継手を提供する。【解決手段】  給水管にノズルが接続され、該ノズルは感熱分解部分により支持された弁体によって閉鎖されているスプリンクラーヘッドにおいて、弁体２０をノズル１２側に付勢する付勢手段２４が設置されているスプリンクラーヘッド、または給水源とスプリンクラーヘッドの間の給水管上に、内部に弁体５４を有する継手５０が設置されており、該弁体５４には流路を閉止する方向に付勢する付勢手段５６が設置されている継手５０を用いる。前記付勢手段は、弁体に加わる圧力が所定以下となった場合に弁体を閉止するものである。【選択図】    図２
2007167089.tif 000002
【特許請求の範囲】
【請求項１】
給水管にノズルが接続され、該ノズルは感熱分解部分により支持された弁体によって閉鎖されているスプリンクラーヘッドにおいて、弁体をノズル側に付勢する付勢手段が設置されていることを特徴とするスプリンクラーヘッド。
【請求項２】
水源から順に、ポンプ、流水検知装置、スプリンクラーヘッドへと接続する給水管が設けられたスプリンクラー設備であり、流水検知装置とスプリンクラーヘッドの間の給水管上に内部に弁体を有する継手が設置されており、該弁体には流路を閉止する方向に付勢する付勢手段が設置されていることを特徴とする継手。
【請求項３】
前記付勢手段は、スプリンクラーヘッドの作動後に弁体に作用する圧力が所定以下となった場合に弁体を閉止することを特徴とするスプリンクラーヘッドまたは継手。
【請求項４】
前記スプリンクラーヘッドまたは継手が、予作動式スプリンクラー設備に設置されることを特徴とする請求項１から３のいずれかに記載のスプリンクラーヘッドまたは継手。
【発明の詳細な説明】
【技術分野】
【０００１】
本発明は、消火用のスプリンクラーヘッドおよび該スプリンクラーヘッドが設置されるスプリンクラー設備に関するものである。
【背景技術】
【０００２】
建物内の天井や壁に設置されるスプリンクラーヘッドは、給水配管と接続されており、スプリンクラーヘッド内部の弁体によってノズルが閉鎖されている。弁体は感熱分解部分により支持されており、該感熱分解部分には感熱体が組込まれていて、感熱体が火災の熱を感知することで感熱分解部分が作動に至り弁体が開放されるものである。
【０００３】
弁体が開放されると、ノズル内の消火液が放出され、消火液はノズルの先に設置されたデフレクターに衝突して四方に飛散し火災が抑制・消火される。上記による従来のスプリンクラーヘッドの一例として、特許文献１に記載されたものがある。
【０００４】
【特許文献１】特開平１１−１２３２５０号公報  （第３−５頁、第１図）
【発明の開示】
【発明が解決しようとする課題】
【０００５】
上記のスプリンクラーヘッドに外的衝撃が加えられると、スプリンクラーヘッドの弁体を支持している感熱分解部分のバランスが崩れ、スプリンクラーヘッドが作動して弁体が開放され、スプリンクラーヘッドから放出された水によって室内に備え付けられた家具や電子機器を濡らしてしまう、いわゆる水損被害が発生してしまう。また、外的衝撃が加わった後、しばらく時間が経過してからスプリンクラーヘッドが作動してしまうものもあり、原因究明が困難なものもある。
【０００６】
水損被害を防止するために、落としたスプリンクラーヘッドを使用しないことや、外的衝撃が加えられたスプリンクラーヘッドは直ちに交換することを周知することや、外的衝撃が加えられた痕跡が残るような構造等の措置が講じられてきた。
【０００７】
また近年のＩＴ化の流れにより、室内のいたるところにはパソコン等の電子機器が用いられている。スプリンクラーヘッドの誤作動による水損被害は、電子機器の故障を招くだけでなく重要なデータを破損してしまうおそれがあり、水損被害への関心が高まってきている。
【０００８】
そこで本発明では、上記問題に鑑み、スプリンクラーヘッドが誤作動した場合においても放出される水を直ちに停止させ、水損被害を低減可能なスプリンクラーヘッドおよびスプリンクラーヘッドが接続される継手を提供することを目的としている。
【課題を解決するための手段】
【０００９】
上記の目的を達成するために、請求項１記載の発明は、給水管にノズルが接続され、該ノズルは感熱分解部分により支持された弁体によって閉鎖されているスプリンクラーヘッドにおいて、弁体をノズル側に付勢する付勢手段が設置されているスプリンクラーヘッドである。
【００１０】
請求項２記載の発明は、水源から順に、ポンプ、流水検知装置、スプリンクラーヘッドへと接続する給水管が設けられたスプリンクラー設備であり、流水検知装置とスプリンクラーヘッドの間の給水管上に内部に弁体を有する継手が設置されており、該弁体には流路を閉止する方向に付勢する付勢手段が設置されている継手である。
【００１１】
請求項３記載の発明は、前記付勢手段においてスプリンクラーヘッドの作動後に弁体に作用する圧力が所定以下となった場合に弁体を閉止するスプリンクラーヘッドまたは継手である。
【００１２】
請求項４記載の発明は、前記スプリンクラーヘッドまたは継手が、予作動式スプリンクラー設備に設置される請求項１から３のいずれかに記載のスプリンクラーヘッドまたは継手である。
【発明の効果】
【００１３】
請求項１記載の発明によれば、スプリンクラーヘッドの弁体にノズル側へ付勢する付勢手段を設けたことにより、スプリンクラーヘッドの作動による火災消火後あるいはスプリンクラーヘッドの誤作動時の給水停止後に給水管内の残水が少量づつ継続して流出することを防止できる。
【００１４】
請求項２記載の発明によれば、請求項1記載のスプリンクラーヘッドのように弁体に付勢手段を設けることのできない構造のスプリンクラーヘッドの場合には、例えばスプリンクラーヘッドと給水管を接続する継手の内部に付勢手段を設けた弁体を設置することで、請求項１記載の発明と同様の効果を得ることができる。
【００１５】
請求項３記載の発明によれば、前記付勢手段が弁体を閉止する際の圧力を、例えば警戒時の給水管内の最低圧力より低く設定しておくと、作動したスプリンクラーヘッドの放水停止後に給水管内に水が残っている状態で弁体を閉止することが可能となる。
【００１６】
請求項４記載の発明によれば、前記のスプリンクラーヘッドや継手を、内部の弁体が常時閉止されている予作動式流水検知装置が設置された予作動式スプリンクラー設備に設置することで、スプリンクラーヘッドが火災感知器よりも先に作動した場合に、流水検知装置の二次側の給水管（以下、「二次側配管」という）内の水が放水される。しかしながら、二次側配管内の全ての水が放出されたわけではなく、ある程度配管内部に水が残った状態で前記スプリンクラーヘッドや継手の弁体が閉止されており、後に火災感知器が作動して流水検知装置の弁体を開放した際には、二次側配管内部に残っている水により作動したスプリンクラーヘッドから速やかに放水が可能となる。
【実施例１】
【００１７】
以下、この発明の実施例１を図１から図５を参照して説明する。図１は実施例１のスプリンクラーヘッドの正面図、図２は図１に示すＸ−Ｘ断面図、図３は実施例１のスプリンクラーヘッドが設置されるスプリンクラー設備の系統図、図４は図２のスプリンクラーヘッドが作動した場合の断面図、図５は図２のスプリンクラーヘッドが誤作動した場合の断面図を表す。
【００１８】
図１に示すスプリンクラーヘッドは、フレームヨーク型のスプリンクラーヘッドであり、本体１０、弁体２０、デフレクター３０、圧縮感熱分解部分４０から構成されている。
【００１９】
本体１０は円筒状で外側には給水配管Ｔと接続するための牡ネジ１１が螺設されている。本体１０の内側はノズル１２となっており、ノズルの先端は弁座１３が形成されている。弁座１３の両側からは馬蹄形のフレーム１４、１４が突出しており、その交点はボス１５となっている。ボス１５には先端が半球状となった締め付けネジ１６が螺入されている。
【００２０】
弁体２０は円盤状であり、片面にはＶ字状の溝２１が刻設され、もう一方の片面には銅製のパッキン２２が被着されている。弁体２０は前述弁座１３に水密状態で設置するもので、パッキン２２が弁座側となっている。
【００２１】
弁体２０は、軸２３によって回動自在に軸支されており、該軸２３にはねじりコイルバネ２４が設置され、弁体２０を弁座１３に付勢させる作用を有している。ねじりコイルバネ２４のばね力は、例えばノズル１２内の圧力が０．０３ＭＰａ以下の際に弁体２０を弁座１３に着座させる程度に設計するのが好ましい。
【００２２】
デフレクター３０は、周囲に多数のスリットを有した皿状であり、前述フレーム１４の先端に固定されている。
【００２３】
圧縮感熱分解部分４０はフレーム１４のボス１５と弁体２０間に設置され、平時弁体２０を保持するものであり、弁体２０を弁座１３に強く押し付けて弁座から水が漏洩しないようにしている。圧縮感熱分解部分４０の構造は、本発明の趣旨とは異なるので詳細な説明は省略する。なお圧縮感熱分解部分の詳細な説明は、特開平１１−１２３２５０号に記載されている。
【００２４】
次に、実施例１のスプリンクラーヘッドが設置されたスプリンクラー設備の構成について説明する。
【００２５】
実施例１のスプリンクラーヘッドは図３に示す予作動式スプリンクラー設備に設置される。予作動式スプリンクラー設備は、水源Ｗ、ポンプＰ、一次側配管Ｔ１、予作動式流水検知装置ＰＶ、二次側配管Ｔ２の順で接続されて構成されており、実施例１のスプリンクラーヘッドＨは二次側配管Ｔ２の末端に設置される。水源Ｗから末端のスプリンクラーヘッドＨまでは充水された状態にある。
【００２６】
スプリンクラーヘッドＨの近傍には、火災感知器Ｓが設置されており、該火災感知器Ｓの作動信号は、制御盤Ｃを介して予作動式流水検知装置ＰＶの弁体を開放する電動弁１７の起動信号として用いられる。
【００２７】
続いて、上記の予作動式スプリンクラー設備の作動について説明する。
【００２８】
実施例１のスプリンクラーヘッドＨは二次側配管Ｔ２に接続されており、二次側配管Ｔ２内およびノズル１２内は、通常０．１ＭＰａの圧力が加えられて充水された状態にある。
【００２９】
火災が発生すると、火災感知器Ｓが作動して予作動式流水検知装置ＰＶの弁体を開放する。すると一次側配管Ｔ１と二次側配管Ｔ２が通水可能な状態となる。続いてスプリンクラーヘッドＨの圧縮感熱分解部分４０が分解作動して、図４に示すように弁体２０が回動してノズル１２内の水が放出される。
【００３０】
予作動式流水検知装置ＰＶは二次側配管Ｔ２の流水を検知して、制御盤Ｃを介してポンプＰを起動させる。ポンプＰの起動によって水源Ｗから水が汲み上げられ、二次側配管Ｔ２に設置された作動したスプリンクラーヘッドＨに連続して給水を行い火災を消し止めるものである。
【００３１】
一方、スプリンクラーヘッドＨが火災時以外に、外的衝撃等が原因で誤作動した場合について説明する。
【００３２】
火災時以外にスプリンクラーヘッドＨが作動すると、火災感知器Ｓは作動していないので予作動式流水検知装置ＰＶの弁体は閉止されたままの状態を維持する。作動したスプリンクラーヘッドＨからは二次側配管Ｔ２に充填された水が放出される。
【００３３】
スプリンクラーヘッドＨからの放水によって二次側配管Ｔ２およびノズル１２内は減圧される。ノズル１２内の水の圧力が０．０３ＭＰａ程度になると、図５に示すようにねじりコイルバネ２４の作用によって弁体２０は弁座１３に着座され、ノズル１２を閉止して放水を停止する。これにより、二次側配管Ｔ２内の残水が少量づつ継続して流出することを防止できる。
【００３４】
次に、火災時において火災感知器ＳよりもスプリンクラーヘッドＨが先に作動した場合について説明する。
【００３５】
スプリンクラーヘッドＨが作動して二次側配管Ｔ２内の水が放出され、放水による減圧によってスプリンクラーヘッドＨは、ねじりコイルバネ２４の作用により弁体２０が弁座１３に着座してノズル１２が閉止されるまでは、上記のスプリンクラーヘッドＨが火災時以外に作動した場合の過程と同様である。
【００３６】
スプリンクラーヘッドＨが作動した後、火災感知器Ｓが作動すると予作動式流水検知装置ＰＶの弁体が開いて一次側配管Ｔ１内の水が二次側配管内Ｔ２に流入してくる。その際、二次側配管Ｔ２内には０．０３ＭＰａ程度の圧力で水が残っており、一次側配管Ｔ１から供給される水が速やかに二次側配管Ｔ２内に充填され、作動したスプリンクラーヘッドＨから直ちに放水が開始される。
【００３７】
予作動式流水検知装置ＰＶは二次側配管への流水を検知して、ポンプＰを起動させ連続的に作動したスプリンクラーヘッドへ給水を行い、火災を消し止めるものである。
【実施例２】
【００３８】
続いて、実施例２について図６を参照して説明する。図６は実施例２の継手の断面図である。実施例２は、スプリンクラーヘッドを接続する継手であり、該継手の内部に実施例１と同様な弁体とねじりコイルバネを設けたものである。該継手を用いることで、フラッシュ型スプリンクラーヘッドやマルチ型スプリンクラーヘッドにおいても実施例１のスプリンクラーヘッドと同様の効果を持たせることが可能となる。
【００３９】
図６に示す継手５０の構造は、筒状をしており下端はスプリンクラーヘッドＨが接続可能なように牝ネジ５１が螺刻されている。上端は給水配管と接続され、中間部分には隔壁５２が設けられており、上部空間が一次室Ｉ、下部空間が二次室ＩＩに分けられている。隔壁５２には連通孔が穿設されており、連通孔の二次室ＩＩ側の端は弁座５３となっている。
【００４０】
実施例１と同様に、弁座５３に着座して連通孔を閉塞する弁体５４が軸５５によって回動自在に軸支されている。また、弁体５４はねじりコイルバネ５６によって弁座に着座するよう付勢されている。
【００４１】
継手５０内が静水状態のときには、弁体５４は弁座５３に着座し閉止状態を維持している。下端に設置されたスプリンクラーヘッドＨが作動して内部のノズルが開放されると二次室ＩＩ側が大気開放されたことにより弁体５４は回動して上端に接続された給水配管内の水がスプリンクラーヘッドＨに供給される。
【００４２】
給水配管に連続して水が供給されていれば、スプリンクラーヘッドＨは放水状態を維持するが、給水配管に水が供給されないと、ねじりコイルバネ５６の作用によって弁体５４は閉止状態になる。
【００４３】
上記継手５０を、実施例１の予作動式スプリンクラー設備に使用することも可能である。
【産業上の利用可能性】
【００４４】
上記においては、実施例１のスプリンクラーヘッド及び実施例２の継手を予作動式スプリンクラー設備に使用する例を解説したが、通常の湿式スプリンクラー設備に設置することや、乾式スプリンクラー設備に設置することも可能である。
【００４５】
また、実施例２の継手において、上記に説明したスプリンクラーヘッドの接続部分だけでなく、流水検知装置とスプリンクラーヘッドとの間であればどの位置においても設置可能である。
【図面の簡単な説明】
【００４６】
【図１】実施例１のスプリンクラーヘッドの正面図
【図２】図１に示すＸ−Ｘ断面図
【図３】実施例１のスプリンクラーヘッドが設置されるスプリンクラー設備の系統図
【図４】図２のスプリンクラーヘッドが作動した場合の断面図
【図５】図２のスプリンクラーヘッドが誤作動した場合の断面図
【図６】実施例２の継手の断面図
【符号の説明】
【００４７】
１０  本体  
２０  弁体  
２３  軸  
２４  ねじりコイルバネ  
３０  デフレクター  
４０  圧縮感熱分解部分  
５０  継手  
Ｃ  制御盤  
Ｈ  スプリンクラーヘッド  
Ｐ  ポンプ  
ＰＶ  予作動式流水検知装置  
Ｓ  火災感知器  
Ｔ１  一次側配管  
Ｔ２  二次側配管  
Ｗ  水源  
【図１】
2007167089.tif 000003
【図２】
2007167089.tif 000004
【図３】
2007167089.tif 000005
【図４】
2007167089.tif 000006
【図５】
2007167089.tif 000007
【図６】
2007167089.tif 000008
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
給水管にノズルが接続され、該ノズルは感熱分解部分により支持された弁体によって閉鎖されているスプリンクラーヘッドにおいて、常時弁体をノズル側に付勢しスプリンクラーヘッドの作動後に弁体に作用する圧力が所定以下となった場合に弁体を閉止する付勢手段が設置されていることを特徴とするスプリンクラーヘッド。
【請求項２】
水源から順に、ポンプ、流水検知装置、スプリンクラーヘッドへと接続する給水管が設けられたスプリンクラー設備であり、流水検知装置とスプリンクラーヘッドの間の給水管上に内部に弁体を有する継手が設置されており、該弁体には常時流路を閉止する方向に付勢しスプリンクラーヘッドの作動後に弁体に作用する圧力が所定以下となった場合に弁体を閉止する付勢手段が設置されていることを特徴とする継手。
【請求項３】
前記スプリンクラーヘッドまたは継手において、ノズルまたは流路、弁体、付勢手段が同一軸上に設置されていることを特徴とするスプリンクラーヘッドまたは継手。
【請求項４】
前記スプリンクラーヘッドまたは継手が、予作動式スプリンクラー設備に設置されることを特徴とする請求項１から３のいずれかに記載のスプリンクラーヘッドまたは継手。
【手続補正２】
【補正対象書類名】明細書
【補正対象項目名】全文
【補正方法】変更
【補正の内容】
【発明の詳細な説明】
【技術分野】
【０００１】
本発明は、消火用のスプリンクラーヘッドおよび該スプリンクラーヘッドが設置されるスプリンクラー設備に関するものである。
【背景技術】
【０００２】
建物内の天井や壁に設置されるスプリンクラーヘッドは、給水配管と接続されており、スプリンクラーヘッド内部の弁体によってノズルが閉鎖されている。弁体は感熱分解部分により支持されており、該感熱分解部分には感熱体が組込まれていて、感熱体が火災の熱を感知することで感熱分解部分が作動に至り弁体が開放されるものである。
【０００３】
弁体が開放されると、ノズル内の消火液が放出され、消火液はノズルの先に設置されたデフレクターに衝突して四方に飛散し火災が抑制・消火される。上記による従来のスプリンクラーヘッドの一例として、特許文献１に記載されたものがある。
【０００４】
【特許文献１】特開平１１−１２３２５０号公報  （第３−５頁、第１図）
【発明の開示】
【発明が解決しようとする課題】
【０００５】
上記のスプリンクラーヘッドに外的衝撃が加えられると、スプリンクラーヘッドの弁体を支持している感熱分解部分のバランスが崩れ、スプリンクラーヘッドが作動して弁体が開放され、スプリンクラーヘッドから放出された水によって室内に備え付けられた家具や電子機器を濡らしてしまう、いわゆる水損被害が発生してしまう。また、外的衝撃が加わった後、しばらく時間が経過してからスプリンクラーヘッドが作動してしまうものもあり、原因究明が困難なものもある。
【０００６】
水損被害を防止するために、落としたスプリンクラーヘッドを使用しないことや、外的衝撃が加えられたスプリンクラーヘッドは直ちに交換することを周知することや、外的衝撃が加えられた痕跡が残るような構造等の措置が講じられてきた。
【０００７】
また近年のＩＴ化の流れにより、室内のいたるところにはパソコン等の電子機器が用いられている。スプリンクラーヘッドの誤作動による水損被害は、電子機器の故障を招くだけでなく重要なデータを破損してしまうおそれがあり、水損被害への関心が高まってきている。
【０００８】
そこで本発明では、上記問題に鑑み、スプリンクラーヘッドが誤作動した場合においても放出される水を直ちに停止させ、水損被害を低減可能なスプリンクラーヘッドおよびスプリンクラーヘッドが接続される継手を提供することを目的としている。
【課題を解決するための手段】
【０００９】
上記の目的を達成するために、請求項１記載の発明は、給水管にノズルが接続され、該ノズルは感熱分解部分により支持された弁体によって閉鎖されているスプリンクラーヘッドにおいて、常時弁体をノズル側に付勢しスプリンクラーヘッドの作動後に弁体に作用する圧力が所定以下となった場合に弁体を閉止する付勢手段が設置されているスプリンクラーヘッドである。
【００１０】
請求項２記載の発明は、水源から順に、ポンプ、流水検知装置、スプリンクラーヘッドへと接続する給水管が設けられたスプリンクラー設備であり、流水検知装置とスプリンクラーヘッドの間の給水管上に内部に弁体を有する継手が設置されており、該弁体には常時流路を閉止する方向に付勢しスプリンクラーヘッドの作動後に弁体に作用する圧力が所定以下となった場合に弁体を閉止する付勢手段が設置されている継手である。
【００１１】
請求項３記載の発明は、前記スプリンクラーヘッドまたは継手において、ノズルまたは流路、弁体、付勢手段が同一軸上に設置されているスプリンクラーヘッドまたは継手である。
【００１２】
請求項４記載の発明は、前記スプリンクラーヘッドまたは継手が、予作動式スプリンクラー設備に設置される請求項１から３のいずれかに記載のスプリンクラーヘッドまたは継手である。
【発明の効果】
【００１３】
請求項１記載の発明によれば、スプリンクラーヘッドの弁体にノズル側へ付勢する付勢手段を設けたことにより、スプリンクラーヘッドの作動による火災消火後あるいはスプリンクラーヘッドの誤作動時の給水停止後に給水管内の残水が少量づつ継続して流出することを防止できる。
【００１４】
請求項２記載の発明によれば、請求項1記載のスプリンクラーヘッドのように弁体に付勢手段を設けることのできない構造のスプリンクラーヘッドの場合には、例えばスプリンクラーヘッドと給水管を接続する継手の内部に付勢手段を設けた弁体を設置することで、請求項１記載の発明と同様の効果を得ることができる。上記の請求項１、２に記載の付勢手段が弁体を閉止する際の圧力を、例えば警戒時の給水管内の最低圧力より低く設定しておくと、作動したスプリンクラーヘッドの放水停止後に給水管内に水が残っている状態で弁体を閉止することが可能となる。
【００１５】
請求項３記載の発明によれば、ノズルまたは流路、弁体、付勢手段が同一軸上に設置することで、シンプルな構成となり、また設置スペースを狭くすることが可能となる。
【００１６】
請求項４記載の発明によれば、前記のスプリンクラーヘッドや継手を、内部の弁体が常時閉止されている予作動式流水検知装置が設置された予作動式スプリンクラー設備に設置することで、スプリンクラーヘッドが火災感知器よりも先に作動した場合に、流水検知装置の二次側の給水管（以下、「二次側配管」という）内の水が放水される。しかしながら、二次側配管内の全ての水が放出されたわけではなく、ある程度配管内部に水が残った状態で前記スプリンクラーヘッドや継手の弁体が閉止されており、後に火災感知器が作動して流水検知装置の弁体を開放した際には、二次側配管内部に残っている水により作動したスプリンクラーヘッドから速やかに放水が可能となる。
【実施例１】
【００１７】
以下、この発明の実施例１を図１から図５を参照して説明する。図１は実施例１のスプリンクラーヘッドの正面図、図２は図１に示すＸ−Ｘ断面図、図３は実施例１のスプリンクラーヘッドが設置されるスプリンクラー設備の系統図、図４は図２のスプリンクラーヘッドが作動した場合の断面図、図５は図２のスプリンクラーヘッドが誤作動した場合の断面図を表す。
【００１８】
図１に示すスプリンクラーヘッドは、フレームヨーク型のスプリンクラーヘッドであり、本体１０、弁体２０、デフレクター３０、圧縮感熱分解部分４０から構成されている。
【００１９】
本体１０は円筒状で外側には給水配管Ｔと接続するための牡ネジ１１が螺設されている。本体１０の内側はノズル１２となっており、ノズルの先端は弁座１３が形成されている。弁座１３の両側からは馬蹄形のフレーム１４、１４が突出しており、その交点はボス１５となっている。ボス１５には先端が半球状となった締め付けネジ１６が螺入されている。
【００２０】
弁体２０は円盤状であり、片面にはＶ字状の溝２１が刻設され、もう一方の片面には銅製のパッキン２２が被着されている。弁体２０は前述弁座１３に水密状態で設置するもので、パッキン２２が弁座側となっている。
【００２１】
弁体２０は、軸２３によって回動自在に軸支されており、該軸２３にはねじりコイルバネ２４が設置され、弁体２０を弁座１３に付勢させる作用を有している。ねじりコイルバネ２４のばね力は、例えばノズル１２内の圧力が０．０３ＭＰａ以下の際に弁体２０を弁座１３に着座させる程度に設計するのが好ましい。
【００２２】
デフレクター３０は、周囲に多数のスリットを有した皿状であり、前述フレーム１４の先端に固定されている。
【００２３】
圧縮感熱分解部分４０はフレーム１４のボス１５と弁体２０間に設置され、平時弁体２０を保持するものであり、弁体２０を弁座１３に強く押し付けて弁座から水が漏洩しないようにしている。圧縮感熱分解部分４０の構造は、本発明の趣旨とは異なるので詳細な説明は省略する。なお圧縮感熱分解部分の詳細な説明は、特開平１１−１２３２５０号に記載されている。
【００２４】
次に、実施例１のスプリンクラーヘッドが設置されたスプリンクラー設備の構成について説明する。
【００２５】
実施例１のスプリンクラーヘッドは図３に示す予作動式スプリンクラー設備に設置される。予作動式スプリンクラー設備は、水源Ｗ、ポンプＰ、一次側配管Ｔ１、予作動式流水検知装置ＰＶ、二次側配管Ｔ２の順で接続されて構成されており、実施例１のスプリンクラーヘッドＨは二次側配管Ｔ２の末端に設置される。水源Ｗから末端のスプリンクラーヘッドＨまでは充水された状態にある。
【００２６】
スプリンクラーヘッドＨの近傍には、火災感知器Ｓが設置されており、該火災感知器Ｓの作動信号は、制御盤Ｃを介して予作動式流水検知装置ＰＶの弁体を開放する電動弁１７の起動信号として用いられる。
【００２７】
続いて、上記の予作動式スプリンクラー設備の作動について説明する。
【００２８】
実施例１のスプリンクラーヘッドＨは二次側配管Ｔ２に接続されており、二次側配管Ｔ２内およびノズル１２内は、通常０．１ＭＰａの圧力が加えられて充水された状態にある。
【００２９】
火災が発生すると、火災感知器Ｓが作動して予作動式流水検知装置ＰＶの弁体を開放する。すると一次側配管Ｔ１と二次側配管Ｔ２が通水可能な状態となる。続いてスプリンクラーヘッドＨの圧縮感熱分解部分４０が分解作動して、図４に示すように弁体２０が回動してノズル１２内の水が放出される。
【００３０】
予作動式流水検知装置ＰＶは二次側配管Ｔ２の流水を検知して、制御盤Ｃを介してポンプＰを起動させる。ポンプＰの起動によって水源Ｗから水が汲み上げられ、二次側配管Ｔ２に設置された作動したスプリンクラーヘッドＨに連続して給水を行い火災を消し止めるものである。
【００３１】
一方、スプリンクラーヘッドＨが火災時以外に、外的衝撃等が原因で誤作動した場合について説明する。
【００３２】
火災時以外にスプリンクラーヘッドＨが作動すると、火災感知器Ｓは作動していないので予作動式流水検知装置ＰＶの弁体は閉止されたままの状態を維持する。作動したスプリンクラーヘッドＨからは二次側配管Ｔ２に充填された水が放出される。
【００３３】
スプリンクラーヘッドＨからの放水によって二次側配管Ｔ２およびノズル１２内は減圧される。ノズル１２内の水の圧力が０．０３ＭＰａ程度になると、図５に示すようにねじりコイルバネ２４の作用によって弁体２０は弁座１３に着座され、ノズル１２を閉止して放水を停止する。これにより、二次側配管Ｔ２内の残水が少量づつ継続して流出することを防止できる。
【００３４】
次に、火災時において火災感知器ＳよりもスプリンクラーヘッドＨが先に作動した場合について説明する。
【００３５】
スプリンクラーヘッドＨが作動して二次側配管Ｔ２内の水が放出され、放水による減圧によってスプリンクラーヘッドＨは、ねじりコイルバネ２４の作用により弁体２０が弁座１３に着座してノズル１２が閉止されるまでは、上記のスプリンクラーヘッドＨが火災時以外に作動した場合の過程と同様である。
【００３６】
スプリンクラーヘッドＨが作動した後、火災感知器Ｓが作動すると予作動式流水検知装置ＰＶの弁体が開いて一次側配管Ｔ１内の水が二次側配管内Ｔ２に流入してくる。その際、二次側配管Ｔ２内には０．０３ＭＰａ程度の圧力で水が残っており、一次側配管Ｔ１から供給される水が速やかに二次側配管Ｔ２内に充填され、作動したスプリンクラーヘッドＨから直ちに放水が開始される。
【００３７】
予作動式流水検知装置ＰＶは二次側配管への流水を検知して、ポンプＰを起動させ連続的に作動したスプリンクラーヘッドへ給水を行い、火災を消し止めるものである。
【実施例２】
【００３８】
続いて、実施例２について図６を参照して説明する。図６は実施例２の継手の断面図である。実施例２は、スプリンクラーヘッドを接続する継手であり、該継手の内部に実施例１と同様な弁体とねじりコイルバネを設けたものである。該継手を用いることで、フラッシュ型スプリンクラーヘッドやマルチ型スプリンクラーヘッドにおいても実施例１のスプリンクラーヘッドと同様の効果を持たせることが可能となる。
【００３９】
図６に示す継手５０の構造は、筒状をしており下端はスプリンクラーヘッドＨが接続可能なように牝ネジ５１が螺刻されている。上端は給水配管と接続され、中間部分には隔壁５２が設けられており、上部空間が一次室Ｉ、下部空間が二次室ＩＩに分けられている。隔壁５２には連通孔が穿設されており、連通孔の二次室ＩＩ側の端は弁座５３となっている。
【００４０】
実施例１と同様に、弁座５３に着座して連通孔を閉塞する弁体５４が軸５５によって回動自在に軸支されている。また、弁体５４はねじりコイルバネ５６によって弁座に着座するよう付勢されている。
【００４１】
継手５０内が静水状態のときには、弁体５４は弁座５３に着座し閉止状態を維持している。下端に設置されたスプリンクラーヘッドＨが作動して内部のノズルが開放されると二次室ＩＩ側が大気開放されたことにより弁体５４は回動して上端に接続された給水配管内の水がスプリンクラーヘッドＨに供給される。
【００４２】
給水配管に連続して水が供給されていれば、スプリンクラーヘッドＨは放水状態を維持するが、給水配管に水が供給されないと、ねじりコイルバネ５６の作用によって弁体５４は閉止状態になる。
【００４３】
上記継手５０を、実施例１の予作動式スプリンクラー設備に使用することも可能である。
【産業上の利用可能性】
【００４４】
上記においては、実施例１のスプリンクラーヘッド及び実施例２の継手を予作動式スプリンクラー設備に使用する例を解説したが、通常の湿式スプリンクラー設備に設置することや、乾式スプリンクラー設備に設置することも可能である。
【００４５】
また、実施例２の継手において、上記に説明したスプリンクラーヘッドの接続部分だけでなく、流水検知装置とスプリンクラーヘッドとの間であればどの位置においても設置可能である。
【図面の簡単な説明】
【００４６】
【図１】実施例１のスプリンクラーヘッドの正面図
【図２】図１に示すＸ−Ｘ断面図
【図３】実施例１のスプリンクラーヘッドが設置されるスプリンクラー設備の系統図
【図４】図２のスプリンクラーヘッドが作動した場合の断面図
【図５】図２のスプリンクラーヘッドが誤作動した場合の断面図
【図６】実施例２の継手の断面図
【符号の説明】
【００４７】
１０  本体  
２０  弁体  
２３  軸  
２４  ねじりコイルバネ  
３０  デフレクター  
４０  圧縮感熱分解部分  
５０  継手  
Ｃ  制御盤  
Ｈ  スプリンクラーヘッド  
Ｐ  ポンプ  
ＰＶ  予作動式流水検知装置  
Ｓ  火災感知器  
Ｔ１  一次側配管  
Ｔ２  二次側配管  
Ｗ  水源